(57)【要約】【課題】プリンタローラー用の改良されたワイパーブレードアセンブリを提供する。【解決手段】ローラー用廃棄物捕集システム１０のブレードアセンブリ１４は、廃棄物捕集システム１０のトレイ１２に取り付けるための支持プレート１６と、ブレードホルダと、を備える。ブレードホルダは、長手方向軸、および、長手方向軸の方向に延び、洗浄されるローラー２０と係合するように構成された自由端を有するブレード１８を受け入れるように構成されている。ブレードホルダはブレード１８を受け入れて保持するように構成されており、ブレード１８は、ブレードホルダに取り外し可能に取り付け可能である。ブレードホルダとブレード１８の一方はチャネルを含み、ブレードホルダとブレード１８の他方は、チャネル内に着座して保持されるように構成された突出部を含む。チャネルと突出部との間にはクリアランスがある。【選択図】図１
2021536383.tif 000002
【特許請求の範囲】
【請求項１】
廃棄物捕集システムのトレイに取り付けるための支持プレートと、
ブレードホルダと、
を備えるローラー用廃棄物捕集システムのブレードアセンブリであって、
前記ブレードホルダは長手方向軸、および、前記長手方向軸の方向に延び、洗浄されるローラーと係合するように構成された自由端を有するブレードを受け入れるように構成され、前記ブレードホルダは前記ブレードを受け入れて保持するように構成され、前記ブレードは前記ブレードホルダに取り外し可能に取り付け可能であり、
前記ブレードホルダと前記ブレードの一方はチャネルを含み、前記ブレードホルダと前記ブレードの他方は前記チャネル内に着座して保持されるように構成された突出部を含み、前記チャネルと前記突出部との間にクリアランスがあることを特徴とする、ブレードアセンブリ。
【請求項２】
前記突出部は直径を有し、前記チャネルと前記突出部との間のクリアランスは、前記突出部の直径の少なくとも５％である、請求項１に記載のブレードアセンブリ。
【請求項３】
前記チャネルおよび前記突出部の両方が、円形の断面を有する、請求項１または２に記載のブレードアセンブリ。
【請求項４】
前記突出部が前記チャネルに対して前記ブレードの長手方向に摺動し、前記チャネルに挿入可能であり、かつ前記チャネルから取り外し可能であることによって、前記ブレードが前記ブレードホルダに取り外し可能に取り付けられる、請求項１から３のいずれか一項に記載のブレードアセンブリ。
【請求項５】
前記ブレードホルダに対する前記ブレードの摺動を防止する第１の位置と、前記ブレードが前記ブレードホルダに対して摺動することができる第２の位置とを有する、前記ブレードホルダに関連するブレード保持手段をさらに備える、請求項１から４のいずれか一項に記載のブレードアセンブリ。
【請求項６】
前記ブレード保持手段は、前記支持プレートに取り付けられたばねにより、前記第１の位置に向かって付勢されている、請求項５に記載のブレードアセンブリ。
【請求項７】
前記ブレードホルダは、前記ブレードホルダに対する前記ブレードの摺動を制限するように適合された閉鎖端部を含む、請求項４から６のいずれか一項に記載のブレードアセンブリ。
【請求項８】
前記ブレードは前記自由端から延び、前記ブレードによって前記ローラーから除去された廃棄物を前記トレイに向かって導くように構成された傾斜面をさらに備える、請求項１から７のいずれか一項に記載のブレードアセンブリ。
【請求項９】
前記傾斜面の終端には可撓性のリップが設けられ、使用時に、前記リップは前記ブレードホルダまたは前記トレイ内に配置されたライナーを押圧し、前記ブレードを前記ブレードの前記長手方向軸を中心に回転させ、前記ブレードの前記自由端を前記ローラーに対して押圧する、請求項８に記載のブレードアセンブリ。
【請求項１０】
前記トレイを裏打ちするライナーに取り付けるように構成される、請求項１から９のいずれか一項に記載のブレードアセンブリ。
【請求項１１】
磁気手段を介して前記ライナーに取り付け可能である、請求項１０に記載のブレードアセンブリ。
【請求項１２】
当該ブレードアセンブリおよび前記ライナーの一方は磁性要素を備え、当該ブレードアセンブリおよび前記ライナーの他方は強磁性要素を備える、請求項１１に記載のブレードアセンブリ。
【請求項１３】
当該ブレードアセンブリおよび前記ライナーの各々には、磁性要素が設けられている、請求項１１に記載のブレードアセンブリ。
【請求項１４】
互いに対応するオス要素およびメス要素を介して前記ライナーに取り付け可能である、請求項１０に記載のブレードアセンブリ。
【請求項１５】
前記互いに対応するオス要素およびメス要素は、前記ブレード上に位置するチャネルと、前記ライナー上に位置する突出部とを備える、請求項１４に記載のブレードアセンブリ。
【発明の詳細な説明】
【技術分野】
【０００１】
本発明は、ローラー、特にプリンタローラーから廃棄物を除去するためのブレードアセンブリに関する。
【背景技術】
【０００２】
印刷産業では、廃棄物はワイパーブレードを用いてローラーから除去される。ワイパーブレードは、回転ローラーと係合してローラーから任意の廃棄物、典型的にはインクを掻き取るための先端部を含む。典型的には、ローラーから掻き取られた廃棄物は収集トレイに送られる。
【０００３】
印刷インキに使用される溶剤は、ローラーとワイパーブレードの間の摩擦と共に、ワイパーブレードを磨耗させるので、ブレードを時々交換しなければならない。ワイパーブレードを交換することは時間がかかり、煩わしい作業であり、典型的には多数のボルトを取り外すことを伴い、これらのボルトの各々は取り外す前にインクを取り除く必要がある可能性が高い。本出願人による特許文献１は、ワイパーブレードがより容易に交換される廃棄物捕集システムを記載している。このシステムは、ワイパーブレードをしっかりと受け入れ、保持するように構成されたブレードホルダを含む。ブレードは、プッシュフィット接続を介して、またはブレードの１つの構成要素をブレードホルダ上の対応するチャネルにスライドさせることによって、ブレードホルダに取り外し可能に取り付け可能である。しかしながら、印刷インキに使用される溶剤、特にハロゲン化炭化水素を含む溶剤は時間の経過とともにブレードを膨潤させる可能性があり、出願人は、ブレードホルダ内のワイパーブレードの膨潤がワイパーブレードの先端を歪ませ、ワイパーブレードがローラーからインキを除去する能力を低下させる可能性があることを見出した。
【先行技術文献】
【特許文献】
【０００４】
【特許文献１】国際公開第２０１６／０４６５５９号公報
【発明の概要】
【発明が解決しようとする課題】
【０００５】
改良されたワイパーブレードアセンブリを提供することが望ましい。
【０００６】
本発明の一態様によれば、ローラー用廃棄物捕集システムのブレードアセンブリが提供される。ブレードアセンブリは廃棄物捕集システムのトレイに取り付けるための支持プレートと、ブレードホルダと、を備える。ブレードホルダは、長手方向軸、および、長手方向軸の方向に延び、洗浄されるローラーと係合するように構成された自由端を有するブレードを受け入れるように構成され、ブレードホルダはブレードを受け入れて保持するように構成される。ブレードはブレードホルダに取り外し可能に取り付け可能である。ブレードホルダとブレードの一方はチャネルを含み、ブレードホルダとブレードの他方はチャネル内に着座して保持されるように構成された突出部を含み、チャネルと突出部との間にクリアランスがあることを特徴とする。
【０００７】
好ましくは、突出部は直径を有し、チャネルの直径が突出部の直径よりも少なくとも５％大きくなるように、チャネルと突出部との間のクリアランスは突出部の直径の少なくとも５％である。好ましい例では、突出部の直径は３．０ｍｍであり、チャネルの直径は３．４ｍｍである。
【０００８】
好ましくは、チャネルおよび突出部の両方が、実質的に円形の断面を有する。
【０００９】
突出部がチャネルに対してブレードの長手方向に摺動することによって、チャネルに挿入可能であり、かつチャネルから取り外し可能であることによって、ブレードがブレードホルダに取り外し可能に取り付けられる。
【００１０】
ブレードアセンブリはブレードホルダに関連するブレード保持手段をさらに含むことができる。ブレード保持手段は、ブレード保持手段がブレードホルダに対するブレードの摺動を防止する第１の位置と、ブレードがブレードホルダに対して摺動することができる第２の位置とを有する。好ましくは、ブレード保持手段は支持プレートに取り付けられたばねにより、第１の位置に向かって付勢される。
【００１１】
ブレードホルダは、ブレードホルダに対するブレードの摺動を制限するように適合された閉鎖端部を含んでもよい。
【００１２】
好ましくは、ブレードは、自由端から延在し、ブレードによってローラーから除去された廃棄物をトレイに向けるように構成された傾斜面をさらに備える。好ましくは、傾斜面の終端には実質的に可撓性のリップが設けられ、使用時に、リップはブレードホルダまたはトレイ内に配置されたライナーを押圧し、ブレードをブレードの長手方向軸を中心に回転させ、ブレードの自由端をローラーに押圧する。
【００１３】
ブレードアセンブリは、トレイを裏打ちするライナーに取り付けられるようになっていてもよい。
【００１４】
ブレードアセンブリは、磁気手段を介してライナーに取り付け可能であってもよい。ブレードアセンブリおよびライナーの一方に磁性要素を設けてもよく、ブレードアセンブリおよびライナーの他方に強磁性要素を設けてもよい。あるいは、ブレードアセンブリおよびライナーの各々に磁性要素を設けてもよい。
【００１５】
ブレードアセンブリは、互いに対応するオス要素およびメス要素を介してライナーに取り付け可能であってもよい。互いに対応するオス要素およびメス要素は、ブレード上に位置するチャネルと、ライナー上に位置する突出部とを備えることができる。
【００１６】
本発明はローラー用廃棄物捕集システムの改良されたブレードアセンブリを提供する。ブレードが溶剤吸収のために膨潤するときのブレードの歪みが防止され、特定のブレードの寿命が延長される。したがって、それほど頻繁に交換する必要がない。
【００１７】
図面は、本発明のワイパーブレードアセンブリの好ましい実施形態を示す。
【図面の簡単な説明】
【００１８】
【図１】本発明の廃棄物捕集システムの概略図である。
【図２】本発明のワイパーブレードアセンブリの第１実施形態の側面図である。
【図３】図２のワイパーブレードアセンブリの一部を形成する支持プレートの等角図である。
【図４】図２のワイパーブレードアセンブリの一部を形成するブレードの等角図である。
【図５】本発明の第２実施形態の概略側面図である。
【図６】本発明の第３実施形態の概略側面図である。
【図７】本発明の第４実施形態の概略側面図である。
【図８ａ】本発明の第５実施形態の一部を形成する支持プレートの等角図であり、閉塞部材が閉鎖位置で示されている。
【図８ｂ】図８ａの支持プレートの等角図であり、閉塞部材が開位置で示されている。
【図９】本発明の第６実施形態の概略側面図である
【図１０】本発明の第７実施形態の概略側面図である。
【発明を実施するための形態】
【００１９】
図１を参照すると、本発明による廃棄物捕集システム１０が示されており、このシステムは、洗浄トレイ１２と、ブレードアセンブリ１４と、を備える。ブレードアセンブリ１４は、支持プレート１６および、自由端すなわちローラー２０の表面と係合するための先端部１８ａを使用してローラー２０から廃棄物を掻き取るブレード１８を含む。
【００２０】
支持プレート１６は、洗浄トレイ１２の内壁１２ａ上に載置され、ブラケット２２によってそれに取り付けられている。
【００２１】
図２、図３および図４も参照すると、支持プレート１６は、ブレード１８の一部を受け入れるように構成されたブレードホルダ２４を含む。ブレードホルダ２４は、実質的に円形の断面を有するチャネル２６を含む。ブレード１８は、ブレードホルダ２４のチャネル２６内に滑り込む実質的に円形の断面を有する突出部２８を含む。
【００２２】
図３により明確に示されるように、チャネル２６は、その上縁に沿った細長い開口部２６ａを含む。開口部２６ａの幅はチャネル２６の幅よりも狭く、また、突出部２８の幅よりも狭く、これにより、細長い開口部２６ａを介したブレード１８の取り外しが妨げられる。突出部２８は、突出部２８がチャネル２６に挿入された後にチャネル２６の開口部２６ａを通って延びる連結部３０によってブレード１８に連結されている。
【００２３】
突出部２８はチャネル２６に密着せず、突出部２８とチャネル２６との間にある程度の遊び、すなわちクリアランスがある。この例では図２に示すように、チャネルと突出部との間の距離Ｘは約０．１９ｍｍである。チャネル２６の開口部２６ａと連結部３０との間にも、ある程度の遊び、すなわちクリアランスがある。このある程度の遊びは、ブレード１８が（溶剤にさらされることによって）膨潤することを可能にし、ブレード１８の先端部１８ａが歪むこと、またはブレードホルダ内で詰まることを防止する。これは、特定のブレード１８の寿命を長くし、そのため、ブレードの交換頻度が少なくて済むようになる。
【００２４】
ブレード１８は、押出プラスチック、例えばＨＤＰＥから作られる。押出成形されたプラスチックはブレード先端部１８ａに隣接して厚くなっており、これはブレード先端部１８ａを強化し、より耐久性を高めている。ブレード１８はまた、使用時に洗浄トレイまたは洗浄トレイライナーのすぐ近くに配置されるリップ１８ｂを含む。ブレードリップ１８ｂはブレード先端部１８ａよりも薄く、より柔軟であり、図５および図６を参照して説明するように、リップ１８ｂと支持プレート１６との間に洗浄トレイライナー１２'を位置決めすることができる。リップ１８ｂは洗浄トレイライナー１２'を押し付け、ブレード１８の突出部２８をチャネル２６の長手方向軸を中心にわずかに回転させ、先端部１８ａをローラー２０の表面に押し付ける。
【００２５】
図５は、本発明のワイパーブレードアセンブリの第２実施形態を示す。この例では、ブレードアセンブリが磁気手段を介して洗浄トレイライナー１２'に取り付けられていることを除いて、図１から図４に示されているものと実質的に同じ設計である。洗浄トレイライナー１２'およびブレードアセンブリ１４のうちの少なくとも一方には磁性要素２８が設けられている。洗浄トレイライナー１２'およびブレードアセンブリ１４のうちの一方のみに磁性要素２８が設けられている場合、他方には磁気引力を受ける強磁性金属要素３０が設けられている。図５に示す実施形態では、強磁性金属要素３０は洗浄トレイライナー１２'の外面に取り付けられている。使用時には、強磁性の金属ストリップ３０が取り付けられている洗浄トレイライナー１２'の自由端は、リップ１８ｂの後方および近傍に位置する。ブレードリップ１８ｂは、ブレード先端部１８ａよりも薄くて柔軟性がある。ブレード１８によって収集されたインクおよび溶剤は、リップ１８ｂから、それが収集される洗浄トレイライナー１２'の内面上に落下する。図示の実施形態では、磁性要素２８は接着剤によってブレードアセンブリ１４に取り付けられる。インクおよび溶剤の流れを洗浄トレイライナーに向けるための前述の構成は、磁性要素２８を所定の位置に保持する接着剤と接触するようなインクおよび溶剤を軽減する。磁性要素２８は、強磁性の金属ストリップ３０に実質的にサイズが対応するストリップであることが好ましい。磁性要素２８はライナー上に設けられてもよく、強磁性金属要素３０はブレードアセンブリ上に設けられてもよく、またはブレードアセンブリの一部を形成してもよい。
【００２６】
特に有利には、図６に示すように強磁性の金属ストリップ３０もまた、磁性要素２８ａであるべきである。この場合、洗浄トレイライナー１２'およびブレードアセンブリ１４の磁性要素の極性を適切に配置することによって、互いに接続される構成要素を、それらが正しく位置決めされるように互いに取り付けることができる。磁性要素２８および２８ａは、交互の極性を備え、それぞれ、洗浄トレイライナー１２'の自由端がブレードリップ１８ｂに隣接する所望の位置を取るように構成される。これは、洗浄トレイライナーが不正確に位置決めされた場合、ブレード１８によって除去されたインクおよび溶剤が金属ストリップまたは磁性要素上に移動する可能性があり、これによって、磁性要素および／または金属ストリップを洗浄トレイライナーまたはブレードアセンブリに取り付ける接着剤が故障する可能性があるため、有利である。洗浄トレイライナー１２'をブレードアセンブリ１４に取り付ける人は金属ストリップ３０を正しく位置決めできるが、洗浄トレイライナーの正しい取り付けを確実にする配置は、人為的ミスを軽減する。磁性要素２８、２８ａは、表面に取り付けるためにその片面に接着剤を設けることができる磁気テープで形成される。また、磁性要素２８、２８ａを設けることは、ブレードリップ１８ｂに隣接する洗浄トレイの自由端の正しい位置決めを支援するだけでなく、磁石の極性によってわずかな位置ずれが許されないので、取り付ける人に誤った位置にあることを明らかに示すことも理解されるであろう。洗浄トレイの自由端は正しく位置決めされているか、またはかなり位置がずれているかのいずれかである。
【００２７】
図７は、本発明のワイパーブレードアセンブリの第４実施形態を示す。ブレードリップ１８ｂがチャネル３１と置き換えられていることを除いて、この例では、ブレードアセンブリは図１から図４に示されているものと実質的に同じ設計である。チャネル３１は、洗浄トレイライナー１２”上に配置されたビード部３２を受け入れて保持するようになっている。
【００２８】
図８ａおよび図８ｂに示すように、支持プレート１６およびブレードホルダ２４は好ましくは閉塞部材３４を備えている。図示の例では、閉塞部材３４は、ばね取り付けされた閉塞部材である。閉塞部材３４は、通常の動作において、ブレードホルダ２４上のチャネル２６の開口部を覆うように取り付けられている。ブレード１８がチャネル２６内の位置にあるとき、閉塞部材はブレード１８の取り外しを妨ぐ。
【００２９】
ブレード１８をブレードホルダ２４内に挿入またはブレードホルダ２４内から除去するために、オペレータは、図８ｂに矢印で示すように閉塞部材３４を押し下げ、閉塞部材３４をチャネル２６の開口部から離れるように移動させる必要がある。閉塞部材３４が解放されると、ばね取り付けによって、元の位置（図８ａに示されるように）に戻される。
【００３０】
ブレードホルダ２４の遠端は、例えばプラグまたはキャップ３６で閉じてもよい。これは、ブレード１８のブレードホルダ２４へのスライドを制限する。
【００３１】
図９に図示するように、支持プレート１６は、ブレード１８のリップ１８ｂの下の位置に洗浄トレイライナー１２'を案内するのに役立つ、上方に傾斜した面を有する突出要素３８を含んでもよい。
【００３２】
図１０に図示するように、ブレードリップ１８ｂは、点１８ｂ’で洗浄トレイライナーまたは磁石２８ａと係合することができる。ブレードリップ１８ｂと洗浄トレイライナーおよび／または磁石２８ａとの間の接触表面積を減少させることは、インクおよび／または溶剤が洗浄トレイライナー／磁石に向かって戻る毛細管現象を減少させる。インクおよび／または溶剤が磁石／洗浄トレイライナーに向かって戻る毛細管現象は望ましくなく、ブレードを洗浄トレイライナーまたは洗浄トレイライナー１２'の一部を形成する磁石２８ａに固着させることがある。
【符号の説明】
【００３３】
１０      廃棄物捕集システム
１２      洗浄トレイ
１２’    洗浄トレイライナー
１２”    洗浄トレイライナー
１２ａ    内壁
１４      ブレードアセンブリ
１６      支持プレート
１８      ブレード
１８ａ    ブレード先端部
１８ｂ    ブレードリップ
１８ｂ’  点
２０      ローラー
２２      ブラケット
２４      ブレードホルダ
２６      チャネル
２６ａ    開口部
２８      突出部
２８      磁性要素
２８ａ    磁性要素、磁石
３０      連結部
３０      強磁性金属要素、金属ストリップ
３１      チャネル
３２      ビード部
３４      閉塞部材
３６      キャップ
３８      突出要素
【図１】
2021536383.tif 000003
【図２】
2021536383.tif 000004
【図３】
2021536383.tif 000005
【図４】
2021536383.tif 000006
【図５】
2021536383.tif 000007
【図６】
2021536383.tif 000008
【図７】
2021536383.tif 000009
【図８ａ】
2021536383.tif 000010
【図８ｂ】
2021536383.tif 000011
【図９】
2021536383.tif 000012
【図１０】
2021536383.tif 000013
【国際調査報告】
2021536383.tif 000014
2021536383.tif 000015
2021536383.tif 000016